【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
移動通信システム内で移動端末のネットワークアドレスを設定する方法であって、前記方法は、
前記移動端末の媒体独立ハンドオーバー機能（ＭＩＨＦ）モジュールを介して、同種ネットワーク及び異種ネットワークのうちの少なくとも一つに、前記移動端末のハンドオーバーを行うことであって、前記ＭＩＨＦモジュールは、同種ネットワーク及び異種ネットワークのうちの一つと関連づけられた少なくとも一つのネットワークインターフェースモジュールから統合プレゼンテーションに、情報の収束を提供し、前記統合プレゼンテーション内の前記収束された情報を前記移動端末の上位層に送達するように構成されている、ことと、
前記移動端末の前記ＭＩＨＦモジュールから、前記移動端末の前記上位層に指標を送信することであって、前記指標は、前記移動端末のネットワークアドレスが、前記同種ネットワーク及び前記異種ネットワークのうちの少なくとも一つに対する前記ネットワークアドレスを設定する前に、データを通信するように変更される必要があるか否かを示す、ことと
を含む、方法。
【請求項２】
同種ネットワーク及び異種ネットワークのうちの少なくとも一つに対する前記ネットワークアドレスを設定することをさらに含み、前記ネットワークアドレスは、インターネットプロトコル（ＩＰ）アドレスである、請求項１に記載の方法。
【請求項３】
前記移動端末の前記上位層に指標を送信するステップは、前記移動端末のサブネットが変更したときに発生する、請求項１に記載の方法。
【請求項４】
ハンドオーバーを行うステップは、現在のネットワークの媒体アクセス制御層から、同種ネットワーク及び異種ネットワークのうちの少なくとも一つの媒体アクセス制御層へのハンドオーバーを行うことを含む、請求項１に記載の方法。
【請求項５】
前記同種ネットワークは現在のネットワークである、請求項４に記載の方法。
【請求項６】
前記移動端末の前記ＭＩＨＦモジュールにおいて、前記移動端末の下位層から指標を受信することであって、前記指標は、前記移動端末の前記ネットワークアドレスがデータを通信するために変更される必要があるか否かを示す、ことをさらに含み、
前記移動端末の前記上位層に指標を送信するステップは、前記下位層から送信された前記指標を前記上位層に通知することである、請求項１に記載の方法。
【請求項７】
前記移動端末の下位層から前記移動端末の前記ＭＩＨＦモジュールに指標を伝送することをさらに含み、前記指標は、前記移動端末の前記ネットワークアドレスが、データを通信するために変更される必要があるか否かを示す、請求項１に記載の方法。
【請求項８】
遠隔ＭＩＨＦモジュールから送信された指標メッセージを、前記移動端末の前記ＭＩＨＦモジュールにおいて受信することであって、前記指標メッセージは、前記移動端末の前記ネットワークアドレスがデータを通信するために変更される必要があるか否かを示す、ことをさらに含み、
前記移動端末の前記上位層に指標を送信するステップは、前記遠隔ＭＩＨＦモジュールから送信された前記指標メッセージの受信の結果である、請求項１に記載の方法。
【請求項９】
前記上位層は、移動管理プロトコル及び上位管理エンティティのうちの少なくとも一つを含む、請求項１に記載の方法。
【請求項１０】
同種ネットワーク及び異種ネットワークのうちの少なくとも一つに対する前記ネットワークアドレスが設定されたことを、前記上位層から、前記移動端末の前記ＭＩＨＦモジュールに通知することをさらに含む、請求項２に記載の方法。
【請求項１１】
前記移動端末の前記下位層から、前記移動端末の前記ＭＩＨＦモジュールまで指標を伝送することをさらに含み、前記指標は、前記移動端末の前記ネットワークアドレスがデータを通信するために変更される必要があるか否かを示す、請求項６に記載の方法。
【請求項１２】
同種ネットワーク及び異種ネットワークのうちの少なくとも一つに対する前記ＩＰアドレスを設定するステップは、
同種ネットワーク及び異種ネットワークのうちの少なくとも一つの外部エージェントに、前記ＩＰアドレスについて請求することと、
前記外部エージェントから前記ＩＰアドレスを受信することと、
同種ネットワーク及び異種ネットワークのうちの前記少なくとも一つに対する前記ＩＰアドレスを、ホームネットワークのホームエージェントに登録することと
を含む、請求項２に記載の方法。
【請求項１３】
前記ＩＰアドレスは、気付アドレス（ＣｏＡ）である、請求項１２に記載の方法。
【請求項１４】
同種ネットワーク及び異種ネットワークのうちの少なくとも一つに対する前記ＩＰアドレスを設定するステップは、
同種ネットワーク及び異種ネットワークのうちの少なくとも一つの動的ホスト構成プロトコル（ＤＨＣＰ）サーバを発見し、選択することと、
同種ネットワーク及び異種ネットワークのうちの少なくとも一つに対する前記ＩＰアドレスを、前記ＤＨＣＰサーバから要求することと、
前記ＤＨＣＰサーバから、前記ＩＰアドレスを受信することと、
前記ＩＰアドレスをホームネットワークのホームエージェントに登録することと
を含む、請求項２に記載の方法。
【請求項１５】
前記ＩＰアドレスは、気付アドレス（ＣｏＡ）である、請求項１４に記載の方法。
【請求項１６】
同種ネットワーク及び異種ネットワークのうちの少なくとも一つに対する前記ＩＰアドレスを設定するステップは、
同種ネットワーク及び異種ネットワークのうちの少なくとも一つに対する前記ＩＰアドレスの構築に関するプレフィックス情報について、同種ネットワーク及び異種ネットワークのうちの少なくとも一つのアクセスルータに請求することと、
前記プレフィックス情報を、前記アクセスルータから要求することと、
前記受信したプレフィックス情報を用いて、前記ＩＰアドレスを構築することと、
前記ＩＰアドレスをホームネットワークのホームエージェントに登録することと
を含む、請求項２に記載の方法。
【請求項１７】
前記ＩＰアドレスは、気付アドレス（ＣｏＡ）である、請求項１６に記載の方法。
【請求項１８】
同種ネットワーク及び異種ネットワークのうちの少なくとも一つに対する前記ＩＰアドレスを設定するステップは、
同種ネットワーク及び異種ネットワークのうちの少なくとも一つの動的ホスト構成プロトコル  ｖ６（ＤＨＣＰ  ｖ６）サーバを発見し、選択することと、
同種ネットワーク及び異種ネットワークのうちの少なくとも一つに対する前記ＩＰアドレスを、前記ＤＨＣＰ  ｖ６サーバから要求することと、
前記ＤＨＣＰ  ｖ６サーバから、前記ＩＰアドレスを受信することと、
前記ＩＰアドレスをホームネットワークのホームエージェントに登録することと
を含む、請求項２に記載の方法。
【請求項１９】
前記ＩＰアドレスは、気付アドレス（ＣｏＡ）である、請求項１８に記載の方法。
【請求項２０】
前記移動端末の前記ＭＩＨＦモジュールから前記移動端末の前記上位層に指標を送信するステップは、ハンドオーバーを行う前に発生する、請求項１に記載の方法。
【請求項２１】
前記移動端末の前記ＭＩＨＦモジュールにおいて、前記移動端末の下位層から指標を受信することであって、前記指標は、前記移動端末の前記ネットワークアドレスがデータを通信するために変更される必要があるか否かを示す、ことをさらに含み、
前記移動端末の前記上位層に指標を送信するステップは、前記下位層から送信された前記指標を前記上位層に通知することである、請求項２０に記載の方法。
【請求項２２】
同種ネットワーク及び異種ネットワークのうちの少なくとも一つとの接続を設定することをさらに含む、請求項２１に記載の方法。
【請求項２３】
前記移動端末の媒体アクセス制御層と、同種ネットワーク及び異種ネットワークのうちの少なくとも一つの媒体アクセス制御層との間の接続を設定することを含む、請求項２２に記載の方法。
【請求項２４】
同種ネットワーク及び異種ネットワークのうちの少なくとも一つに対する前記ネットワークアドレスを設定することをさらに含み、前記ネットワークアドレスは、インターネットプロトコル（ＩＰ）アドレスである、請求項２０に記載の方法。
【請求項２５】
前記移動端末の前記ＭＩＨＦモジュールから前記移動端末の前記上位層に指標を送信するステップは、前記移動端末のサブネットが変更したときに発生する、請求項２０に記載の方法。
【請求項２６】
ハンドオーバーを行うステップは、現在のネットワークの媒体アクセス制御層から、同種ネットワーク及び異種ネットワークのうちの少なくとも一つの媒体アクセス制御層へのハンドオーバーを行うことを含む、請求項２０に記載の方法。
【請求項２７】
前記移動端末の下位層から前記移動端末の前記ＭＩＨＦモジュールに指標を伝送することをさらに含み、前記指標は、前記移動端末の前記ネットワークアドレスが、データを通信するために、同種ネットワーク及び異種ネットワークのうちの少なくとも一つに対して変更される必要があるか否かを示す、請求項２０に記載の方法。
【請求項２８】
前記移動端末の前記ＭＩＨＦモジュールにおいて、遠隔ＭＩＨＦモジュールから送信された指標メッセージを受信することをさらに含み、前記指標メッセージは、前記移動端末の前記ネットワークアドレスがデータを通信するために変更される必要があるか否かを示し、
前記移動端末の前記上位層に指標を送信するステップは、前記遠隔ＭＩＨＦモジュールから送信された前記指標メッセージの受信の結果である、請求項２０に記載の方法。
【請求項２９】
前記上位層は、移動管理プロトコル及び上位管理エンティティのうちの少なくとも一つを含む、請求項２０に記載の方法。
【請求項３０】
同種ネットワーク及び異種ネットワークのうちの少なくとも一つに対する前記ネットワークアドレスが設定されたことを、前記上位層から、前記移動端末の前記ＭＩＨＦモジュールに通知することをさらに含む、請求項２０に記載の方法。
【請求項３１】
前記移動端末の前記下位層から、前記移動端末の前記ＭＩＨＦモジュールまで指標を伝送することをさらに含み、前記指標は、前記移動端末の前記ネットワークアドレスがデータを通信するために変更される必要があるか否かを示す、請求項２１に記載の方法。
【請求項３２】
同種ネットワーク及び異種ネットワークのうちの少なくとも一つに対する前記ＩＰアドレスを設定するステップは、
同種ネットワーク及び異種ネットワークのうちの少なくとも一つの外部エージェントに、前記ＩＰアドレスについて請求することと、
前記外部エージェントから前記ＩＰアドレスを受信することと、
同種ネットワーク及び異種ネットワークのうちの前記少なくとも一つに対する前記ＩＰアドレスを、ホームネットワークのホームエージェントに登録することと
を含む、請求項２４に記載の方法。
【請求項３３】
前記ＩＰアドレスは、気付アドレス（ＣｏＡ）である、請求項３２に記載の方法。
【請求項３４】
同種ネットワーク及び異種ネットワークのうちの少なくとも一つに対する前記ＩＰアドレスを設定するステップは、
同種ネットワーク及び異種ネットワークのうちの少なくとも一つの動的ホスト構成プロトコル（ＤＨＣＰ）サーバを発見し、選択することと、
同種ネットワーク及び異種ネットワークのうちの少なくとも一つに対する前記ＩＰアドレスを、前記ＤＨＣＰサーバから要求することと、
前記ＤＨＣＰサーバから、前記ＩＰアドレスを受信することと、
前記ＩＰアドレスをホームネットワークのホームエージェントに登録することと
を含む、請求項２４に記載の方法。
【請求項３５】
前記ＩＰアドレスは、気付アドレス（ＣｏＡ）である、請求項３４に記載の方法。
【請求項３６】
同種ネットワーク及び異種ネットワークのうちの少なくとも一つに対する前記ＩＰアドレスを設定するステップは、
同種ネットワーク及び異種ネットワークのうちの少なくとも一つに対する前記ＩＰアドレスの構築に関するプレフィックス情報について、同種ネットワーク及び異種ネットワークのうちの少なくとも一つのアクセスルータに請求することと、
前記プレフィックス情報を、前記アクセスルータから要求することと、
前記受信したプレフィックス情報を用いて、前記ＩＰアドレスを構築することと、
前記ＩＰアドレスをホームネットワークのホームエージェントに登録することと
を含む、請求項２４に記載の方法。
【請求項３７】
前記ＩＰアドレスは、気付アドレス（ＣｏＡ）である、請求項３６に記載の方法。
【請求項３８】
同種ネットワーク及び異種ネットワークのうちの少なくとも一つに対する前記ＩＰアドレスを設定するステップは、
同種ネットワーク及び異種ネットワークのうちの少なくとも一つの動的ホスト構成プロトコル  ｖ６（ＤＨＣＰ  ｖ６）サーバを発見し、選択することと、
同種ネットワーク及び異種ネットワークのうちの少なくとも一つに対する前記ＩＰアドレスを、前記ＤＨＣＰ  ｖ６サーバから要求することと、
前記ＤＨＣＰ  ｖ６サーバから、前記ＩＰアドレスを受信することと、
前記ＩＰアドレスをホームネットワークのホームエージェントに登録することと
を含む、請求項２４に記載の方法。
【請求項３９】
前記ＩＰアドレスは、気付アドレス（ＣｏＡ）である、請求項３８に記載の方法。
【請求項４０】
移動通信システム内でネットワークアドレスを設定することが可能な移動端末であって、前記移動端末は、
媒体独立ハンドオーバー機能（ＭＩＨＦ）モジュールであって、前記ＭＩＨＦモジュールは、同種ネットワーク及び異種ネットワークのうちの一つと関連づけられた少なくとも一つのネットワークインターフェースモジュールから統合プレゼンテーションに、情報の収束を提供し、前記統合プレゼンテーション内の前記収束された情報を前記移動端末の上位層に送達するように構成されている、ＭＩＨＦモジュールを含み、
前記ＭＩＨＦモジュールは、同種ネットワーク及び異種ネットワークのうちの少なくとも一つに対して前記移動端末のハンドオーバーを行い、
前記ＭＩＨＦモジュールは、前記移動端末の前記上位層に指標を送信し、前記指標は、前記移動端末のネットワークアドレスが、同種ネットワーク及び異種ネットワークのうちの少なくとも一つに対する前記ネットワークアドレスを設定する前に、データを通信するように変更される必要があるか否かを示す、移動端末。
【請求項４１】
前記移動端末の前記上位層は、同種ネットワーク及び異種ネットワークのうちの少なくとも一つに対する前記ネットワークアドレスを設定し、前記ネットワークアドレスは、インターネットプロトコル（ＩＰ）アドレスである、請求項４０に記載の移動端末。
【請求項４２】
前記ＭＩＨＦモジュールは、前記移動端末のサブネットが変更したときに前記移動端末の前記上位層に指標を送信する、請求項４０に記載の移動端末。
【請求項４３】
前記ＭＩＨＦモジュールは、現在のネットワークの媒体アクセス制御層から、同種ネットワーク及び異種ネットワークのうちの少なくとも一つの媒体アクセス制御層へのハンドオーバーを行う、請求項４０に記載の移動端末。
【請求項４４】
前記同種ネットワークは現在のネットワークである、請求項４３に記載の移動端末。
【請求項４５】
前記ＭＩＨＦモジュールは、前記移動端末の下位層から指標を受信し、前記指標は、前記移動端末の前記ネットワークアドレスがデータを通信するために変更される必要があるか否かを示し、前記ＭＩＨＦモジュールは、前記下位層から送信された前記指標を前記上位層に通知するために、前記移動端末の前記上位層に指標を送信する、請求項４０に記載の移動端末。
【請求項４６】
前記ＭＩＨＦモジュールに指標を伝送する前記移動端末の下位層をさらに含み、前記指標は、前記移動端末の前記ネットワークアドレスが、データを通信するために変更される必要があるか否かを示す、請求項４０に記載の移動端末。
【請求項４７】
前記ＭＩＨＦモジュールは、遠隔ＭＩＨＦモジュールから送信された指標メッセージを受信し、前記指標メッセージは、前記移動端末の前記ネットワークアドレスがデータを通信するために変更される必要があるか否かを示し、前記ＭＩＨＦモジュールは、前記遠隔ＭＩＨＦモジュールから送信された前記指標メッセージの受信の結果として、前記移動端末の前記上位層に指標を送信する、請求項４０に記載の移動端末。
【請求項４８】
前記上位層は、移動管理プロトコル及び上位管理エンティティのうちの少なくとも一つを含む、請求項４０に記載の移動端末。
【請求項４９】
前記移動端末の前記上位層は、同種ネットワーク及び異種ネットワークのうちの少なくとも一つに対する前記ネットワークアドレスが設定されたことを、前記ＭＩＨＦモジュールに通知する、請求項４０に記載の移動端末。
【請求項５０】
前記移動端末の前記下位層は、前記ＭＩＨＦモジュールに指標を伝送し、前記指標は、前記移動端末の前記ネットワークアドレスがデータを通信するために変更される必要があるか否かを示す、請求項４５に記載の移動端末。